【事件の表示】
　特許第２９１２７９８号「建物の屋根並びにその施工方法」の請求項１および２に係る特許に対する特許異議の申立てについて、次のとおり決定する。
【結　論】
　訂正を認める。
　特許第２９１２７９８号の請求項１および２に係る特許を維持する。
【理　由】
１．手続の経緯
　本件特許第２９１２７９８号に係る出願は、平成５年９月３日の出願であって、平成１１年４月９日に特許の設定登録がなされ、その後、笠下義隆から特許異議の申立がなされ、取消理由通知が通知され、その指定期間内である平成１２年６月１６日に訂正請求がなされたものである。
　
２．訂正の要旨
　訂正事項ａ：特許請求の範囲の【請求項１】を、次のように訂正する。
「【請求項１】　下面に垂木を有しかつ上面が防水処理された複数の下地パネル（４）が屋根の小屋組み（３）上に面一に並設され、この各下地パネル（４）間の接合部を水密的に接合することにより全下地パネル（４）の上面において防水機能完結状態の屋根の防水面（５）が形成され、この防水面（５）の上方に、上面に瓦模様を施した複数の化粧パネル（６）を非防水状態で面一に並設することにより、屋根の外観面（７）が形成されており、前記各化粧パネル（６）は、各化粧パネル（６）間の接合部分から落下する雨水を排水すべく、下地パネル（４）の上面に屋根流れ方向に沿って固定された樋部材（１０）に取り付けられていることを特徴とする建物の屋根。」
　訂正事項ｂ：特許請求の範囲の【請求項２】を、次のように訂正する。
「【請求項２】　下面に垂木を有しかつ上面が防水処理された複数の下地パネル（４）を屋根の小屋組み（３）上に面一に並設し、この各下地パネル（４）間の接合部を水密的に接合して全下地パネル（４）の上面において屋根の防水面（５）を防水機能完結状態に形成した後、この防水面（５）の上面に屋根流れ方向に沿って複数の樋部材（１０）を固定し、この各樋部材（１０）の上方に各化粧パネル（６）間の接合部分が配置されるように、上面に瓦模様を施した複数の化粧パネル（６）を非防水状態で面一に並設しかつ前記樋部材（１０）に取り付けて屋根の外観面（７）を形成することを特徴とする建物の屋根の施工方法。」
　訂正事項ｃ：明細書の段落【０００５】において「屋根の外観面が形成されている」とあるを、不明りょうな記載の釈明を目的として、次のように訂正する。
「屋根の外観面が形成されており、前記各化粧パネルは、各化粧パネル間の接合部分から落下する雨水を排水すべく、下地パネルの上面に屋根流れ方向に沿って固定された樋部材に取り付けられている」
　訂正事項ｄ：明細書の段落【０００６】において「この防水面の上方に、上面に瓦模様を施した複数の化粧パネルを非防水状態で面一に並設して屋根の外観面を形成する」とあるを、不明りょうな記載の釈明を目的として、次のように訂正する。
「この防水面の上面に屋根流れ方向に沿って複数の樋部材を固定し、この各樋部材の上方に各化粧パネル間の接合部分が配置されるように、上面に瓦模様を施した複数の化粧パネルを非防水状態で面一に並設しかつ前記樋部材に取り付けて屋根の外観面を形成する」
　訂正事項ｅ：明細書の段落【００１２】において「排水するようにしている。」とあるを、不明りょうな記載の釈明を目的として、次のように訂正する。
「即ち、下地パネル４の防水面５の上面に屋根流れ方向に沿って複数の樋部材１０を固定し、この各樋部材１０の上方に各化粧パネル６間の接合部分が配置されるように、上面に瓦模様を施した複数の化粧パネル６を非防水状態で面一に並設しかつ樋部材１０に取り付けており、前記化粧パネル６は全屋根の外観面７を形成し、前記樋部材１０は各化粧パネル６間の接合部分から落下する雨水を排水可能にしている。」
　訂正事項ｆ：明細書の段落【００１９】において「防水テープ４が」とあるを、誤記の訂正を目的として、次のように訂正する。
「防水テープ１３が」
　訂正事項ｇ：明細書の段落【００２７】において「低減することができる。」とあるを、不明りょうな記載の釈明を目的として、次のように訂正する。
「低減することができ、下地パネルの上面に固定の樋部材によって、防水面の上方に化粧パネルを配置することができ、かつ各化粧パネル間の接合部分から落下する雨水の排水が可能になる。」
　
３．訂正の適否
（１）訂正の目的の適否、新規事項の有無及び拡張・変更の存否
　上記訂正事項ａ、ｂに係る訂正は、特許請求の範囲の減縮を目的とするものであり、しかもその訂正は、願書に添付した明細書又は図面に記載した事項の範囲内のものであり、さらに、実質上特許請求の範囲を拡張し、又は変更するものではない。
　また、訂正事項ｆに係る訂正は、誤記の訂正に該当し、訂正事項ｃ〜ｅ、ｇに係る訂正は、訂正事項ａ、ｂに関連してなされた明りょうでない記載の釈明に該当し、願書に添付した明細書又は図面に記載した事項の範囲内のものであり、さらに、実質上特許請求の範囲を拡張し、又は変更するものではない。
　
（２）独立特許要件の判断
　訂正明細書の請求項１および２に係る発明は、訂正明細書の特許請求の範囲の請求項１および２に記載されたとおりのものであり（以下、「訂正後発明１」および「訂正後発明２」という。）、両者は、カテゴリーが相違するだけであるので、訂正後発明１について検討すると、これに対して、当審が先に通知した取消理由で引用した、実願昭５９−６１９２８号（実開昭６０−１７４７１７号）のマイクロフィルム（以下、「引用例１」という。）には、第２頁第１〜１４行の「これら瓦等の表面材は他の屋根葺き材と同様、化粧葺き材としての機能と雨遮断材としての機能を併有しており、雨水は屋根葺き表面材で遮断し、その全量を屋根下地に漏水させることなく表面材外表面に沿い軒先へ向け誘導し排出する構造を採っている。これに対し出願人は上記とは全く逆の発想に基く屋根葺き構造として、表面材としてセメント系の単位パネルを適用し、該パネルを流れ屋根面に多数枚敷詰めて、主たる雨遮断目的を有しない流れ屋根表面層を形成し、その下面に主たる雨遮断目的を有する防水層を形成し、表面材たるパネルより漏水する雨水を該パネル下面の防水層で遮断しパネル下面に沿い誘導排水する屋根葺き構造」、第４頁第４〜８行の「防水シート６を流れ屋根全体に敷設した後その上面に上記単位パネル３を敷詰める。防水シート６は屋根下地板７の表面に接着材を介し張り付けする。」、第８頁第２〜４行の「単位パネル３の下面と防水層５上面とは密着させず若干の間隙をあけるか、又は単位パネル３の下面に雨水誘導溝を形成」という記載及び第４図を参照すると、屋根下地板の表面に防水シートを屋根全体に敷設して主たる雨遮断目的を有する防水層を形成し、その後、防水層の上面に、防水層の上面とは密着させない等により主たる雨遮断目的を有しない表面材の単位パネルを多数枚敷詰めて屋根表面層を形成する屋根葺き施工方法及び屋根葺き構造が記載されていると認められる。
　同、特開平４−３５７２５１号公報（以下、「引用例２」という。）には、段落【０００６】から段落【００１４】及び図１の記載を参照すると、屋根材の下地防水処理を省くために、下面に垂木を有しかつ上にルーフィングなどの下葺材が敷設されている野地板の、下葺材の一側縁に沿って１本の長い防水加工された受け水切が防水テープにより貼着されており、他側縁に沿って１本の長い防水加工されたオーバーラップ水切が防水テープにより貼着されている複数の屋根パネル同士を、一方の屋根パネルの受け水切の上に、他方の屋根パネルのオーバーラップ水切を重ね合わせるようにして接合するとともに屋根パネル間の隙間を充分に止水する、屋根パネルの防水下地施工方法及び屋根パネルの防水下地構造が記載されていると認められる。
　訂正後発明１と上記引用例１および２に記載された発明とを比較すると、引用例１に記載された発明の「屋根下地板」、「防水シートを屋根全体に敷設して主たる雨遮断目的を有する防水層」、「表面材の単位パネル」、「防水層の上面とは密着させない等により主たる雨遮断目的を有しない単位パネルを多数枚敷詰めて屋根表面層を形成」及び「屋根葺き構造」は、それぞれの機能に照らし、各々、訂正後発明１の「下地パネル」、「全下地パネルの上面において防水機能完結状態の屋根の防水面」、「化粧パネル」、「化粧パネルを非防水状態で面一に並設することにより、屋根の外観面が形成」及び「建物の屋根」に対応し、下地パネルが屋根の小屋組み上に面一に設けられることは、例をあげるまでもなく周知技術にすぎないから、両者は、全下地パネルの上面において防水機能完結状態の屋根の防水面が形成され、この防水面の上方に、複数の化粧パネルを非防水状態で面一に並設することにより、屋根の外観面が形成されている建物の屋根の点で一致している。
　一方、引用例２に記載された発明の「ルーフィングなどの下葺材が敷設」、「屋根パネル」及び「一方の屋根パネルの受け水切の上に、他方の屋根パネルのオーバーラップ水切を重ね合わせるようにして接合するとともに屋根パネル間の隙間を充分に止水する」は、それぞれの機能に照らし、各々、訂正後発明１の「防水処理」、「下地パネル」及び「下地パネル間の接合部を水密的に接合する」に対応するから、引用例２には、下面に垂木を有しかつ上面が防水処理された複数の下地パネル間の接合部を水密的に接合することによる防水下地構造が記載されており、また、屋根パネルの上面に瓦模様を施したものは、周知技術にすぎない（特開平４−１０２６５６号公報、実開昭５６−７１８２１号公報等参照）が、いずれの引用例にも、訂正後発明１の、各化粧パネルは、各化粧パネル間の接合部分から落下する雨水を排水すべく、下地パネルの上面に屋根流れ方向に沿って固定された樋部材に取り付けられているという構成は記載されておらず、又、示唆するところもない。そして、訂正後発明１および２は、この構成によって明細書記載の作用効果を奏するものであり、訂正後発明１および２が上記引用例１、２に記載された発明および上記周知技術に基いて当業者が容易に発明をすることができたものとはいえない。
　また、他に訂正後発明１および２が独立して特許を受けることができない理由を発見しない。
　したがって、訂正後発明１および２は、特許出願の際、独立して特許を受けることができるものである。
　
（３）訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
　
４．異議の申立てについての判断
（１）申立ての理由の概要
　申立人笠下義隆は、証拠として甲第１ないし１０号証を提出して、本件請求項１および２に係る特許発明は、いずれも、甲第１号証、甲第２号証又は甲第３号証に記載された発明或いは、これらの一つと甲第４号証又は甲第５号証に記載された発明及び甲第６〜８号証の周知技術に基づいて当業者が容易に発明をすることができたものであるから、特許法第２９条第２項の規定により特許を受けることができないものであり、本件の特許を取り消すべきであると主張している。
　
（２）判断
　上記甲第１号証刊行物は、取消理由に引用した引用例２と同じであり、甲第５号証刊行物は、取消理由に引用した引用例１と実質的に同じであり、さらに、甲第２〜４および６〜９号証刊行物にも、各化粧パネルは、各化粧パネル間の接合部分から落下する雨水を排水すべく、下地パネルの上面に屋根流れ方向に沿って固定された樋部材に取り付けられているという構成は記載されておらず、又、示唆するところもないから、前記３．（２）独立特許要件の判断で示した点をも併せて考慮すると、本件訂正後発明１および２は、甲第１ないし９号証刊行物に記載された発明から当業者が容易に発明をすることができたものであるとはいえない。
　
５．むすび
　以上のとおりであるから、異議申立ての理由及び証拠によっては、本件請求項１および２に係る発明の特許を取り消すことはできない。
　また、他に本件請求項１および２に係る発明特許を取り消すべき理由を発見しない。
　よって、結論のとおり決定する。
【異議決定日】
平成１２年７月１３日（２０００．７．１３）
【訂正の要旨】
訂正の要旨
　特許第２９１２７９８号の明細書を、下記のとおり訂正する。
　訂正事項ａ：特許請求の範囲の【請求項１】を、特許請求の範囲の減縮を目的として、次のように訂正する。
「【請求項１】下面に垂木を有しかつ上面が防水処理された複数の下地パネル（４）が屋根の小屋組み（３）上に面一に並設され、この各下地パネル（４）間の接合部を水密的に接合することにより全下地パネル（４）の上面において防水機能完結状態の屋根の防水面（５）が形成され、この防水面（５）の上方に、上面に瓦模様を施した複数の化粧パネル（６）を非防水状態で面一に並設することにより、屋根の外観面（７）が形成されており、前記各化粧パネル（６）は、各化粧パネル（６）間の接合部分から落下する雨水を排水すべく、下地パネル（４）の上面に屋根流れ方向に沿って固定された樋部材（１０）に取り付けられていることを特徴とする建物の屋根。」
　訂正事項ｂ：特許請求の範囲の【請求項２】を、特許請求の範囲の減縮を目的として、次のように訂正する。
「【請求項２】下面に垂木を有しかつ上面が防水処理された複数の下地パネル（４）を屋根の小屋組み（３）上に面一に並設し、この各下地パネル（４）問の接合部を水密的に接合して全下地パネル（４）の上面において屋根の防水面（５）を防水機能完結状態に形成した後、この防水面（５）の上面に屋根流れ方向に沿って複数の樋部材（１０）を固定し、この各樋部材（１０）の上方に各化粧パネル（６）間の接合部分が配置されるように、上面に瓦模様を施した複数の化粧パネル（６）を非防水状態で面一に並設しかつ前記樋部材（１０）に取り付けて屋根の外観面（７）を形成することを特徴とする建物の屋根の施工方法。」
　訂正事項ｃ：明細書の段落【０００５】において「屋根の外観面が形成されている」とあるを、不明りょうな記載の釈明を目的として、次のように訂正する。
「屋根の外観面が形成されており、前記各化粧パネルは、各化粧パネル間の接合部分から落下する雨水を排水すべく、下地パネルの上面に屋根流れ方向に沿って固定された樋部材に取り付けられている」
　訂正事項ｄ：明細書の段落【０００６】において「この防水面の上方に、上面に瓦模様を施した複数の化粧パネルを非防水状態で面一に並設して屋根の外観面を形成する」とあるを、不明りょうな記載の釈明を目的として、次のように訂正する。
「この防水面の上面に屋根流れ方向に沿って複数の樋部材を固定し、この各樋部材の上方に各化粧パネル間の接合部分が配置されるように、上面に瓦模様を施した複数の化粧パネルを非防水状態で面一に並設しかつ前記樋部材に取り付けて屋根の外観面を形成する」
　訂正事項ｅ：明細書の段落【００１２】において「排水するようにしている。」とあるを、不明りょうな記載の釈明を目的として、次のように訂正する。
「即ち、下地パネル４の防水面５の上面に屋根流れ方向に沿って複数の樋部材１０を固定し、この各樋部材１０の上方に各化粧パネル６間の接合部分が配置されるように、上面に瓦模様を施した複数の化粧パネル６を非防水状態で面一に並設しかつ樋部材１０に取り付けており、前記化粧パネル６は全屋根の外観面７を形成し、前記樋部材１０は各化粧パネル６間の接合部分から落下する雨水を排水可能にしている。」
　訂正事項ｆ：明細書の段落【００１９】において「防水テープ４が」とあるを、誤記の訂正を目的として、次のように訂正する。
「防水テープ１３が」
　訂正事項ｇ：明細書の段落【００２７】において「低減することができる。」とあるを、不明りょうな記載の釈明を目的として、次のように訂正する。
「低減することができ、下地パネルの上面に固定の樋部材によって、防水面の上方に化粧パネルを配置することができ、かつ各化粧パネル間の接合部分から落下する雨水の排水が可能になる。」
（５４）【発明の名称】
　建物の屋根並びにその施工方法
（５７）【特許請求の範囲】
　【請求項１】　下面に垂木を有しかつ上面が防水処理された複数の下地パネル（４）が屋根の小屋組み（３）上に面一に並設され、この各下地パネル（４）間の接合部を水密的に接合することにより全下地パネル（４）の上面において防水機能完結状態の屋根の防水面（５）が形成され、この防水面（５）の上方に、上面に瓦模様を施した複数の化粧パネル（６）を非防水状態で面一に並設することにより、屋根の外観面（７）が形成され
ており、前記各化粧パネル（６）は、各化粧パネル（６）間の接合部分から落下する雨水を排水すべく、下地パネル（４）の上面に屋根流れ方向に沿って固定された樋部材（１０）に取り付けられ
　【請求項２】　下面に垂木を有しかつ上面が防水処理された複数の下地パネル（４）を屋根の小屋組み（３）上に面一に並設し、この各下地パネル（４）間の接合部を水密的に接合して全下地パネル（４）の上面において屋根の防水面（５）を防水機能完結状態に形成した後、この防水面（５）の
上面に屋根流れ方向に沿って複数の樋部材（１０）を固定し、この各樋部材（１０）の上方に各化粧パネル（６）間の接合部分が配置されるように
かつ前記樋部材（１０）に取り付けて
【発明の詳細な説明】
　【０００１】
　【産業上の利用分野】
　本発明は、建物の屋根並びにその施工方法に関するものである。
　【０００２】
　【従来の技術】
　昨今の作業者不足や施工コストの高騰等に鑑み、施工現場における作業手間を低減すべく、野地板（下地パネル）の上面に工場で予め防水シートの敷設と瓦葺きとを行って屋根パネルをユニット化し、この屋根パネルを施工現場に搬入して小屋組み上で面一に並設したあと、各屋根パネルの接合端部において現場で防水施工を行って建物の屋根を構築する場合がある（例えば、特願平４−１４５９４０号参照）。
　【０００３】
　【発明が解決しようとする課題】
　しかし、上記従来の技術では、野地板の上面に防水シートだけでなく瓦葺きまで行って屋根パネルを構成しているので、専らこの屋根パネルの重量が大きくなり、その運搬や小屋組みへの吊り上げ作業が重労働となる欠点がある。
　また、従来では、通常の窯業系の屋根瓦を防水シート上に葺いて屋根パネルをユニット化していたので、その接合端部での防水構造が複雑で、現場における施工手間をさほど低減することができなかった。
　【０００４】
　本発明は、このような実情に鑑み、下地パネルと屋根瓦とを分けてパネル化することにより、屋根の防水機能を損なうことなく施工現場における施工手間をより低減することを目的とする。
　【０００５】
　【課題を解決するための手段】
　上記目的を達成すべく、本発明は次の技術的手段を講じた。
　即ち、請求項１記載の建物の屋根に係る発明は、下面に垂木を有しかつ上面が防水処理された複数の下地パネルが屋根の小屋組み上に面一に並設され、この各下地パネル間の接合部を水密的に接合することにより全下地パネルの上面において防水機能完結状態の屋根の防水面が形成され、この防水面の上方に、上面に瓦模様を施した複数の化粧パネルを非防水状態で面一に並設することにより、屋根の外観面が形成され
ており、前記各化粧パネルは、各化粧パネル間の接合部分から落下する雨水を排水すべく、下地パネルの上面に屋根流れ方向に沿って固定された樋部材に取り付けられ
　【０００６】
　また、請求項２記載の建物の屋根の施工方法に係る発明は、下面に垂木を有しかつ上面が防水処理された複数の下地パネルを屋根の小屋組み上に面一に並設し、この各下地パネル間の接合部を水密的に接合して全下地パネルの上面において屋根の防水面を防水機能完結状態に形成した後、この防水面の
上面に屋根流れ方向に沿って複数の樋部材を固定し、この各樋部材の上方に各化粧パネル間の接合部分が配置されるように
かつ前記樋部材に取り付けて
　【０００７】
　【作用】
　本発明では、防水機能を受け持つ下地パネルと、外観機能を受け持つ化粧パネルとに分けて屋根パネルをユニット化しているので、従来に比べて屋根パネルを軽量化できる。
　また、屋根の防水機能は下地パネルが完結状態で受け持ち、水密的に接合される全下地パネルの上面において屋根の防水面を形成するので、この防水面の上方に並設される複数の化粧パネルを水密的に接合する必要がなく非防水状態にできる。
　【０００８】
　【実施例】
　以下、図面に基づいて本発明の実施例について詳述する。
　図１乃至図３において、本実施例に係る建物の屋根１は、いわゆる切妻屋根を採用しており、母屋２を屋根流れ方向で複数段に配設してなる小屋組み３を備えている。
　【０００９】
　図１（ａ）に示すように、その小屋組み３上には、上面が防水処理された複数の下地パネル４が面一に並設されていて、各下地パネル４間の接合部を水密的に接合することにより、全下地パネル４の上面において屋根の防水面５が形成されている。
　ここで、屋根の防水面５とは、屋根の防水機能が完全に確保されている面のことをいい、本実施例では、上面が防水処理された下地パネル４を後述する接合手段によって水密的に接合することにより、下地パネル４の上面において屋根１の防水機能を完結させるようにしている（防水機能完結状態）。
　【００１０】
　一方、図１（ｂ）に示すように、防水面５の上方には、上面に瓦模様を施した化粧パネル６を面一に並設されており、この各化粧パネル６の上面によって屋根の外観面７が形成されている。
　ここで、屋根の外観面７とは、屋根の外観を構成する面のことをいい、本実施例では、下地パネル４の上面において防水機能が完結されているので、外観面７を構成するに際して各化粧パネル６を水密的に接合せず、化粧パネル６は屋根の外観機能のみを受け持つこととなる（非防水状態）。
　【００１１】
　この化粧パネル６は、外表面に防水メッキを施した板金部材をプレス加工することによって瓦模様を有し、図２に示すように裏面側に設けた補強枠８によって補強されている。この補強枠８は、Ｃ型鋼よりなる補強材９を化粧パネル６の板金部材よりも一回り小さい方形枠状に枠組みして構成され、その板金部材の裏面に溶接等によって固着されている。
　【００１２】
　また、図３に示すように、下地パネル４の上面には、上記化粧パネル６を取り付けるための断面コ字状の樋部材１０が屋根流れ方向に沿って固定されている。各化粧パネル６は、補強枠８の外周側面を樋部材１０の側壁に固定することによって防水面５の上方に面一に並設され、このさい、各化粧パネル６間の接合部分を樋部材１０の上方に配置することにより、当該接合部分から落下する雨水を樋部材１０で排水するようにしている。
　即ち、下地パネル４の防水面５の上面に屋根流れ方向に沿って複数の樋部材１０を固定し、この各樋部材１０の上方に各化粧パネル６間の接合部分が配置されるように、上面に瓦模様を施した複数の化粧パネル６を非防水状態で面一に並設しかつ樋部材１０に取り付けており、前記化粧パネル６は全屋根の外観面７を形成し、前記樋部材１０は各化粧パネル６間の接合部分から落下する雨水を排水可能にしている。
　【００１３】
　図４乃至図７は、上記した下地パネル４及びその接合構造のより詳細な具体例を示している。
　すなわち図４において、下地パネル４は、木材又は窯業系押出材等よりなる平板状の板材で、下面側から垂木１１で支持されているとともに、その上面には防水処理剤１２が全面に塗布されていて、この下地パネル４の上面でそのまま建物の防水面５が構成される。
　【００１４】
　上記下地パネル１は、所定幅の間隙ｅを置いて互いに面一に配置され、この間隙ｅに沿って防水テープ１３が貼着されている。即ち、この防水テープ１３は、間隙ｅより幅広でかつ同幅方向に伸縮可能な材料で構成され、下地パネル４の上面においてその下地パネル４の双方に渡るように当該間隙ｅに沿って貼着されている。
　【００１５】
　従って、下地パネル４，４間に形成される目地１４は、上記防水テープ１３によって上から閉塞されることになる。
　また、この防水テープ１３の上面側には、前記下地パネル４の防水処理剤１２と同質の防水処理剤１５が当該防水テープ１３の幅よりも広く塗布されていて、これにより、防水テープ１３の幅方向両側から雨水が侵入するのが防止され、各下地パネル４問の接合部が水密的に接合されて各下地パネル４の上面において屋根の防水面５が形成されることになる。
　【００１６】
　なお、上記防水処理剤３，６としては、ポリオレフィン系の多元共重合樹脂を主成分とする防水塗料を採用することができ、本実施例では、重量パーセントで、その共重合樹脂：６０％、スラグ等の特殊骨材：３２．５％、着色顔料：７％、沈降防止剤：０．３％、消泡剤：０．２％なる配合のものを使用している。
　一方、上記伸縮可能な防水テープ４としては、長尺帯状の織布にブチル系接着剤を含浸させたものを採用している。
　【００１７】
　上記構成に係る下地パネル４の接合構造によれば、防水テープ１３が下地パネル４間の目地１４を閉塞するため、その目地１４にゴミ等が侵入するのを防止できる。
　また、下地パネル４が振動や熱膨張等によって目地５幅方向に変位しても、その防水テープ１３が同幅方向に伸縮して下地パネル４の変位を吸収するので、例えば湿式接合構造の場合のように下地パネル４の変位によって下地パネル４の接合部にひび割れが入ることもなく、防水機能の耐久性が大幅に向上される。
　【００１８】
　次に、図５に示す接合構造では、下地パネル４と防水テープ１３との間に、下地パネル４の間隙ｅをその上面側から閉塞する硬質の目地バー１６が介装されている。
　この目地バー１６は、硬質プラスチックや板金材等よりなる長尺物で、フランジ部１７とウェブ部１８とから断面Ｔ字状に形成されており、図５（ａ）に示すように、ウェブ部１８を目地１４内に挿入させかつフランジ部１７でその目地１４を上から閉塞するようにして、下地パネル４，４間に間隙ｅに沿って延設されている。
　【００１９】
　なお、この目地バー１６を延設した後は、図５（ｂ）に示すように、上記した防水テープ１３及び防水処理剤１５が施工される。
　従って、この図５に示す接合構造によれば、硬質の目地バー１６が防水テープ１３の目地１４対応部分を補強するため、積雪や風雨に対しても防水テープ
１３
　【００２０】
　しかし、上記目地バー１６を採用した場合、防水テープ１３が目地バー１６のフランジ部１７に接着すると、防水テープ１３の幅方向の伸縮自由度が減殺されることになる。
　そこで、この目地バー１６を採用する場合は、図６に示すように、目地バー１６の防水テープ１３との接触面、即ちフランジ部１７の上面に、塩化ビニール、ポリエチレン、シリコン系樹脂等よりなるボンドブレーカー１９を塗布しておくことが好ましい。
　【００２１】
　かかるボンドブレーカー１９は、フランジ部１７と防水テープ１３との接着を防止するため、防水テープ１３の幅方向の伸縮を有効に確保した上で、当該接合部の強度向上を図ることができる。
　なお、目地バー１６の断面形状としては、上記Ｔ字状のほか、図７（ａ）に示す平板状、図７（ｂ）に示す折り曲げＴ字状、図７（ｃ）に示すウェブ部を二つ有する形状、図７（ｄ）に示すハット状等を採用できる。
　【００２２】
　図８乃至図１０は、下地パネル４及びその接合構造についての他の具体例を示している。
　図８（ａ）において、下地パネル４は、木材又は窯業系押出材等よりなる方形板状の野地板２０を備え、この野地板２０の幅方向端部下面には垂木２１が釘止めによって固着されている。
　【００２３】
　下地パネル４の野地板２０の上面には、アスファルトルーフィング等よりなる防水シート２２が予め工場等で全面に張り付けられていて、この防水シート２２上には、断面矩形の止水突条２３が釘止め又は接着剤で取り付けられている。
　この止水突条２３は、ゴムやスポンジ等の弾性を有する樹脂材料よりなり、防水シート２２の上面より上方へ突出するように下地パネル４の接合端縁部（図例では幅方向端縁部）の上面に延設されている。
　【００２４】
　図８（ｂ）は上記下地パネル４の接合構造を示している。
　すなわち、当該下地パネル４は、施工現場である建物の小屋組み３にクレーン等で搬入された後、その接合端縁部においてたの下地パネル４と互いに面一となるように並設されていて、この隣接する下地パネル４，４の止水突条２３，２３の上から防水テープ２４が貼着されている。
　【００２５】
　従って、野地板２０の上面に雨水が回り、さらに防水テープ２４の下に雨水が回ってきても、接合端縁部の上面に延設された止水突条２３がその水分が下地パネル４，４間の間隙に侵入するのを堰き止めるので、当該接合部における防水機能が向上される。
　なお、図９に示すように、止水突条２３は、断面丸形を呈するものであってもよく１また、野地板２０と防水シート２２の間に介装するようにしてもよい。
　【００２６】
　更に、図１０に示すように、防水シート２２の幅方向端部を下地パネル４の接合端縁に沿ってパネル中央に向かって折り返すことによって止水突条２３を形成することにしてもよい。
　【００２７】
　【発明の効果】
　以上説明したように、本発明によれば、屋根パネルを防水機能を受け持つ下地パネルと外観機能を受け持つ化粧パネルとに分けているので、運搬や小屋組みへの吊り上げ作業等の取り扱いが軽量でかつ容易にでき、下地パネルの防水面が防水機能完結状態になるので、その上方に並設される化粧パネルを水密的に接合しなくとも屋根の防水機能を損なうことがなく、屋根パネルとしての防水構造が簡単で施工手間が低減でき、下地パネルが下面に垂木を有するので、屋根の小屋組みに対する敷設が簡単にでき、かつ化粧パネルが水密接合不要であるので、下地パネルに対する取り付けが簡単にでき、これらにより施工現場における屋根施工手間をより低減することができ
、下地パネルの上面に固定の樋部材によって、防水面の上方に化粧パネルを配置することができ、かつ各化粧パネル間の接合部分から落下する雨水の排水が可能になる
【図面の簡単な説明】
　【図１】
　建物の屋根の施工手順を示す斜視図である。
　【図２】
　化粧パネルの裏面平面図である。
　【図３】
　建物の屋根の横断面図である。
　【図４】
　下地パネルの接合構造の斜視図である。
　【図５】
　同斜視図である。
　【図６】
　ボンドブレーカーを設けた目地バーの斜視図である。
　【図７】
　目地バーの変形例を示す断面図である。
　【図８】
（ａ）は下地パネルの斜視図であり、（ｂ）は同下地パネルの接合構造を示す断面図である。
　【図９】
　他の下地パネルの接合構造を示す断面図である。
　【図１０】
　他の下地パネルの接合構造を示す断面図である。
　【符号の説明】
　１　　建物の屋根
　３　　小屋組み
　４　　下地パネル
　５　　防水パネル
　６　　化粧パネル
　７　　外観面